(57)【特許請求の範囲】
【請求項１】
記録可能なディスクメディア装置において、ビデオ表示を一時停止する方法であって：
一時停止コマンドに応答して、前記ディスクメディア上の選択した記録位置で前記ビデオ表示の記録をする段階；
一時停止再開コマンドに応答して、前記記録に周期的に割り込み、前記ディスクメディアから前記の記録したビデオ表示の一部を読み出す段階；および
前記の記録段階および読み出し段階のための平均ビット速度処理量を増加するために、前記ディスクメディアから読み出す際に前記ディスクメディアの回転速度を選択的に変化させる段階；
から構成される方法。
【請求項２】
請求項１記載の方法であって：
前記読み出し段階中に、前記ディスクメディアの回転速度が連続的に変化する；
ことを特徴とする方法。
【請求項３】
請求項１記載の方法であって：
前記ディスクメディアに形成される螺旋トラック上の前記の選択した記録位置から径方向外方に、前記記録が進んでいく；
ことを特徴とする方法。
【請求項４】
請求項３記載の方法であって：
前記記録段階に比較して前記読み出し段階のために、前記ディスクメディアの前記回転速度を増大させる；
ことを特徴とする方法。
【請求項５】
請求項３記載の方法であって：
前記選択した記録位置からビデオ表示の最後まで前記ディスクメディア上での何らの飛びも無く、前記螺旋トラック上での前記記録が連続的である；
ことを特徴とする方法。
【請求項６】
ビデオ表示を一時停止するための、記録可能ディスクメディアシステムであって：
一時停止コマンドに応答して、選択した記録位置で前記ディスクメディア上への前記ビデオ表示の記録をするディスクメディアレコーダ；
一時停止再開コマンドに応答して、前記記録に周期的に割り込み、前記ディスクメディアから前記の記録したビデオ表示の一部を読み出すディスクプレーヤ；および
前記の記録段階および読み出し段階のための平均ビット速度処理量を増加するために、前記ディスクメディアから読み出す際に前記ディスクメディアの回転速度を選択的に変化させるディスクコントローラ；
から構成されるディスクメディアシステム。
【請求項７】
請求項６記載の方法であって：
前記読み出し中に、前記ディスクメディアの回転速度が連続的に変化する；
ことを特徴とするディスクメディアシステム。
【請求項８】
請求項６記載の記録可能ディスクメディアシステムであって：
前記ディスクメディアに形成される螺旋トラック上の前記の選択した記録位置から径方向外方に、前記記録が進んでいく；
ことを特徴とするディスクメディアシステム。
【請求項９】
請求項８記載の記録可能ディスクメディアシステムであって：
前記記録に比較して前記読み出しのために、前記ディスクメディアの前記回転速度を増大させる；
ことを特徴とするディスクメディアシステム。
【請求項１０】
請求項８記載の記録可能ディスクメディアシステムであって：
前記選択した記録位置からビデオ表示の最後まで前記ディスクメディア上での何らの飛びも無く、前記螺旋トラック上での前記記録が連続的である；
ことを特徴とするディスクメディアシステム。
【発明の詳細な説明】
【０００１】
［発明の分野］
本発明は、例えば記録可能なデジタルビデオディスク、ハードドライブおよび磁気光ディスクなどのディスクメディア上に記録されたオーディオプログラム、映像プログラムおよびオーディオ・映像両方のプログラムについて、高度な動作特徴をもたらす方法および装置に関する。
【０００２】
［従来技術の説明］
消費者が後で再生するためビデオおよび／またはオーディオプログラムを記録できる各種のデバイスが開発されてきた。このようなデバイスの中には、テープレコーダ、ビデオカセットレコーダ、記録可能コンパクトディスク、および最近は記録可能デジタルビデオディスク（DVD）がある。ハードディスクおよび磁気光ディスクも使われてきた。
【０００３】
１回だけ記録可能であり、その後は基本的にはDVD再生専用メモリであるDVDのことをDVD-Rと呼ぶ。DVD-Rは一般に、１回書き込みまたは１回記録技術とも呼ばれる。記録し、消去して再記録（すなわち、上書きまたは再書き込み）するDVDのための数種のフォーマットが利用可能である。これらのメディアは、DVD-RAM, DVD-RWおよびDVD+RWと呼ばれる。現時点において、普遍的な産業標準は採用されてはいない。DVD-RAM, DVD-RWおよびDVD+RWは、それぞれの再記録可能な技術を指す語としても一般に使われる。本明細書において、再記録可能なDVD技術、再記録可能DVDデバイスおよび再記録可能な記録方法などの語は、現在用いられまた将来開発され得る全ての標準を包含するものである。
【０００４】
多くの例において、上演プログラムは、視聴者がいないときに記録／録画され、後でより都合良いときに再生される。このことは、プログラムを時間シフトすると言われる。別な場合には、視聴者が記録／録画していないプログラムを見ている際に、呼び出され（割り込まれ）ることもあり得る。もしそのような視聴者が従来のビデオカセットレコーダを持っていたら、その割り込みの際にプログラムの記録を開始することができる。しかし、その場合の視聴者は、プログラムの続きを順序よく見るためには、プログラムが終わるまで待たなければならない。さらに複雑なことは、記録を完了するのに要する時間が、放送の長さに依存して、極端に長いことである。このために、視聴者はその割り込みを無視したり、あるいはプログラムの重要な部分を見損なうこともある。
【０００５】
この問題点を克服するために、あるDVDビデオレコーダは、一時停止機能を採用することができる。この設定が起動されても、他の従来のビデオ録画装置と同様に、視聴者は入力ビデオを記録することができる。しかし、重要なことは、一時停止機能が起動されたら、DVDビデオ録画器は、一時停止が開始された時点へ戻って再生を開始する一方、入力ビデオの録画を続行できる。結果として、視聴者は、どんなに多くの理由によって割り込まれたとしても、実際の放送の終わりを待たずに、プログラムを完全に見終わることができる。
【０００６】
この録画と再生は同時的に行っているように見えるけれども、DVDレコーダは、書き込みと読み出しとを同時には実行できない。従って、継ぎ目の無い再生を達成するために、DVDは、ディスク上へのデータの記録とこのデータの読み出しを交互に行わざるを得ない。読み出しまたは書き込みのいずれかを割り当てる時間間隔は、少なくとも部分的に、DVDレコーダのデータバッファのサイズによって決まる。結果として、DVDレコーダは、バッファのオーバーフローまたはアンダーフローを避けるために、読み出しと書き込みとの間で絶え間なく切り替わる必要がある。しかしながら、DVDレコーダは、これらの遷移中には読み出しも書き込みもできない。従って、データの読み出しと書き込みとの間の交替のプロセスは、読み出しおよび書き込みプロセスを合わせた平均ビット速度を著しく減少させる。このことは、継ぎ目の無い再生をもたらすために読み出し・書き込みの高速平均ビット速度を維持すべき場合に、特に問題である。
【０００７】
［発明の概要］
本発明は、記録可能なディスクメディアにおいて、ビデオ表示を一時停止する方法に関する。本方法は、以下の段階を含む：
一時停止コマンドに応答して、選択した記録位置でディスクメディア上へのビデオ表示の記録をする段階；
一時停止再開コマンドに応答して、記録に周期的に割り込み、ディスクメディアからの記録したビデオ表示の一部を読み出す段階；および
記録段階および読み出し段階のための平均ビット速度処理量を増加するために、ディスクメディアの回転速度を選択的に変化させる段階である。
【０００８】
本発明の一態様に従えば、ディスクメディアの回転速度が変化している際に同時に読み出し段階が実行される。また、読み出し段階中に、ディスクメディアの回転速度が連続的に変化する。
【０００９】
他の態様に従えば、ディスクメディアに形成される螺旋トラック上の選択した記録位置から径方向外方に、記録が進んでいく。記録段階に比較して読み出し段階のために、ディスクメディアの回転速度を増大させる。さらに、選択した記録位置からビデオ表示の最後までディスクメディア上での何らの飛びも無く、螺旋トラック上での記録が連続的である。
【００１０】
本発明の他の特徴は、ビデオ表示を一時停止するための、記録可能ディスクメディアシステムである。本システムは、以下の要素を含む：
一時停止コマンドに応答して、選択した記録位置でディスクメディア上へのビデオ表示の記録をするディスクメディアレコーダ；
一時停止再開コマンドに応答して、記録に周期的に割り込み、ディスクメディアから記録したビデオ表示の一部を読み出すディスクプレーヤ；および
記録段階および読み出し段階のための平均ビット速度処理量を増加するために、ディスクメディアの回転速度を選択的に変化させるディスクコントローラである。
【００１１】
本発明の一の態様に従えば、ディスクメディアの回転速度が変化している際に同時に前記読み出しが実行される。さらに、読み出し中に、ディスクメディアの回転速度が連続的に変化する。
【００１２】
他の態様に従えば、ディスクメディアに形成される螺旋トラック上の前記の選択した記録位置から径方向外方に、記録が進んでいく。記録に比較して前記読み出しのために、ディスクメディアの回転速度が増大される。選択した記録位置からビデオ表示の最後までディスクメディア上での何らの飛びも無く、螺旋トラック上での記録が連続的である。
【００１３】
［発明の実施の形態］
本発明の好適な実施の形態につき詳細に説明する。
【００１４】
記録可能DVDデバイス
図１に示す本発明に従った各種の高度な動作特徴を備えたデバイス１００が、本発明に従った再記録可能なディスクメディア１０２を利用する。再記録可能なディスクメディア１０２は、図示の例では再記録可能DVDとして実現される。多くの例では、再記録可能なディスクメディアは、例えばハードドライブ、または磁気光ディスク（MOD）でも良い。MODの一例はミニディスクである。多くの応用において、本発明はビデオ、オーディオまたはこれら双方に適用可能である。
【００１５】
デバイス１００は、ディスクメディア、本実施形態では再記録可能なDVD１０２に書き込み可能であり、そこから読み出し可能である。デバイス１００は、機械的アセンブリ１０４、制御セクション１２０、ビデオ／オーディオ入力処理経路１４０およびビデオ／オーディオ出力処理経路１４０から成る。多くのブロックの異なるセクションや経路への割当は自明であり、幾つかのブロックは簡単の目的のために割り当てられ、当該デバイスの動作の理解には重要ではない。
【００１６】
機械的アセンブリ１０４は、DVD１０２を回転するためのモータ１０６、回転ディスク上で移動されるようになっているピックアップアセンブリ１０８から成る。ピックアップアセンブリ上のレーザが、ビデオおよび／またはオーディオプログラム内容を記録したり再生するために、ディスク上の螺旋トラックのスポットを焼き、あるいは既に焼かれたスポットを照射する。本発明の理解のためには、ディスクが片側または両側とも記録可能かどうかは無関係である。両側記録可能の場合にも、両側記録なのか、同じ側から続いて読み出すのか、両側から読み出すのかは無関係である。ピックアップおよびモータは、サーボ１１０により制御される。サーボ１１０は、第１入力として、ディスク１０２の螺旋トラックから読み出されたデータの再生信号を受信する。再生信号は、エラー訂正回路１３０へも入力される。エラー訂正回路１３０は、制御セクションの一部またはビデオ／オーディオ出力処理経路の一部であると考えられる。
【００１７】
制御セクション１２０は、制御中央処理装置（CPU）１２２およびナビゲーションデータ発生回路１２６から成る。制御CPU１２２は第１の入力信号をナビゲーションデータ発生回路１２６へと供給し、サーボ１１０は第２の入力信号をナビゲーションデータ発生回路１２６へと供給する。サーボ１１０はまた、制御セクションの一部であると考えられる。ナビゲーションデータ発生回路１２６は、第１の入力信号をマルチプレクサ（MUX）１５４へと供給する。マルチプレクサは、ビデオ／オーディオ入力処理経路１４０の一部を構成する。
【００１８】
MUX１５４の出力は、エラー訂正コーディング回路１２８への入力される。エラー訂正コーディング回路１２８の出力は、ピックアップ１０８へ供給される記録可能な入力信号であり、レーザによってディスク１０２の螺旋トラック上に焼き付けられる。
【００１９】
制御CPU１２２はまた、好適には、図１に示すトラックバッファ１７２および記録バッファ１５２内のデータにアクセス可能である。CPU１２２は、トラックバッファ１７２および記録バッファ１５２に記録されたビデオデータを消去し、修正し、再フォーマット化することができる。好適には制御インターフェイスおよびデータインターフェイスが設けられて、CPU１２２がビデオエンコーダ１４４およびオーディオエンコーダ１４８の動作を制御できる。適切なソフトウエアまたはファームウエアが、制御CPU１２２により実行される在来の動作のために、メモリ内に設けられる。
【００２０】
視聴者により起動可能な機能のための制御バッファ１３２が、現在利用できる機能、すなわち、再生、記録、巻き戻し、早送り、低速再生、一時停止／再生および停止を表示する。別個のバッファ１３６が設けられて、本発明を実施するためのコマンド（命令）を受信する。例えば、本明細書で述べた特別の一時停止機能が、バッファ１３６を介してアクセス可能である。
【００２１】
ビデオ／オーディオ入力処理経路１４０は、例えばNTSCまたはPALなどの従来のテレビ信号を、デバイス１００による記録のために例えばMPEG-1またはMPEG-2などのデジタルパケットデータへと変換する。入力処理経路１４０は、NTSCデコーダ１４２，MPEG-1またはMPEG-2などのビデオエンコーダ１４４、オーディオアナログーデジタル変換器（A/D）１４６およびMPEG-1またはMPEG-2などのオーディオエンコーダ１４８から成る。デジタル化信号は、マルチプレクサ（MUX）１５０で結合されて、全パケットが構築されるまで記録バッファ１５２に記録される。オーディオおよびビデオデータパケットのグループが生成されると、それらはMUX１５４において、ナビゲーションデータ発生ブロック１２６内で発生した適切なナビゲーションパケットに結合される。
【００２２】
次にパケットは、エラー訂正コーディング回路１２８へと送られる。エラー訂正コーディング回路１２８は、入力処理経路１４０の一部とみなされる。
【００２３】
出力処理経路１７０は、エラー訂正コーディングブロック１３０およびトラックバッファまたは出力バッファ１７２から成る。トラックバッファ１７２において、ディスクから読み出されたパケットが次の処理のためにパケットにアセンブルされる。このパケットは、条件アクセス回路１７４により処理される。条件アクセス回路１７４は、デマルチプレクサ１７６を通りビデオおよびオーディオ処理のための各経路へのパケットの伝搬を制御する。
【００２４】
ビデオパケットは、デコーダ１７８により（例えば、MPEG-1またはMPEG-2から）デコードされ、例えばNTSCまたはPALなどの従来のテレビ信号としてエンコードされる。オーディオパケットは、デコーダ１８２により例えばMPEG-1またはMPEG-2からデコードされ、オーディオアナログデジタル変換器（A/D）１８４によりアナログ形式へと変換される。
【００２５】
特に本発明は、ハードウエア、ソフトウエアまたはこれらの組合せとして具体化される。本発明に従った機械読み取り可能な記憶は、例えば制御CPU１２２などの１つのコンピュータで中央的に処理されて、具体化される。あるいは、相互に接続された数個のコンピュータシステムに亘って、異なる要素を分散させても良い。どのような種類のコンピュータシステムまたは他の装置であっても、本発明で説明する方法を実行するのに利用可能である。
【００２６】
詳細には、本実施形態では図１の制御CPU１２２を考えているが、ハードウエアとソフトウエアの典型的な組合せがコンピュータプログラムとともに汎用コンピュータシステムを構成することもできる。そのプログラムは、ロードされ実行されると、その汎用コンピュータシステムおよび図１の制御セクション１２０と同様なDVD記録システムを制御する。そのようにして、上述の方法を実行できる。本発明はまた、上述の方法の具体化を可能にする全ての特徴を有するコンピュータプログラム製品としても具体化可能である。そのような製品はコンピュータシステム内にロードされて、本発明に従った方法を実行可能である。
【００２７】
本明細書においてコンピュータプログラムの語は、任意の言語、コードまたは表記による命令セットを意味し、情報処理能力を有するシステムに以下の機能の何れかまたは全てを直接的または事後的に実行させうる命令セットである。すなわち、（a）他の言語、コード、表記への変換；および（b）異なる材料形式での再生である。本発明の方法は、上記の制御CPU１２２と互換なオペレーションシステムのために利用可能な商用開発ツールを用いて、プログラマにより具体化されたコンピュータプログラムで実施されても良い。
【００２８】
DVDメディア
本発明を説明する目的のために、プログラム内容が、再記録可能DVD上に記録可能であり、再記録可能DVDから再生可能である。しかしながら、本発明はこれに限定されるものではないことを、当業者は認めるであろう。むしろ、可変読み取り速度を用いた一時停止機能は、非制限的にDVD-RやDVD-RW型のメディアを含むいかなるタイプのディスクメディアとともに用いることができる。図２を参照すると、ディスク１０２がより鮮明に示されている、ディスク１０２は、平坦で、丸いプラスティックプレート状部材１２より形成される。再記録可能なDVDは、接着層により互いに貼り付けた２枚の基板から成り、1.2mm厚の薄いディスクを構成する。中央ホール１４がディスク内に形成され、図１に示すモータ１０６などの把持デバイスがディスクを確実に把持し、本発明に従ってディスクの回転を制御する。
【００２９】
トラック上の記録の方向は代表的には、螺旋トラック１６に沿って外側に向かっている。つまり、螺旋の内径側から外径側へ向かう方向である。幾つかの大きな一連３点ドット（・・・）が、図示しないトラック部分を代表して表している。結果として、螺旋トラックの開始端は、ホール１４付近であり、正方形１８で示されている。螺旋の終端は、渕付近であり、菱形２０で示されている。このような開始端および終端の定義は、一般に当業者に受け入れられるであろう。トラックはさらに、メディアタイプ指標（index）を収容する、図示しない横方向触れ（side-to-side wobble）を有する。寸法上の問題から、トラック１６の一部し図示しておらず、これらは著しく拡大したスケールで示してある。
【００３０】
ほぼ円形であり同心的な螺旋部分をトラックと呼ぶが、この用語はそのような意味としては一般に受け入れられていない。例えば、CD-ROM業界では、トラックの語は、オーディオ１曲等を含む螺旋トラックの一部を意味するものとして用いられている。この用法は、DVD分野にも当てはまるかも知れないし、そうでないかも知れない。
【００３１】
可変読み出し速度を利用した一時停止機能
一時停止（ポーズ）機能を有する記録可能ディスクメディアは、入力（提示）データをディスクメディアに記録し、かつ既に記録したデータの最初の方の一部をディスクメディアから再生することを同時に行うことが可能なはずである。ディスクメディアは、ビデオ用、オーディオ用またはこれらの結合であって良いけれども、これらに限定される訳ではない。例えば、記録可能DVDデバイスは、ビデオ、オーディオまたはこれらの結合を記録し再生できる。本発明は、記録可能ディスクメディアデバイスへの入力データの書き込み動作に周期的に割り込んで、ディスク上に記録されたデータの一部を読み出すという、一時停止機能を実行するものである。簡単のために、本発明を記録可能DVDに関して説明するが、これに限定されるものではない。
【００３２】
図３に示すように、一時停止機能が起動されると、DVDデバイスは、ピックアップアセンブリ１０８をディスク１０２上の選択された位置に移動させることができる。ピックアップアセンブリ１０８が適所に位置づけられると、DVDデバイスは、データの書き込みあるいは読み出しを開始できる。今日のDVDデバイスとの互換をとるために、ディスク１０２の内径で記録を始め、外径へと記録を続けていくのが好ましい。例えば、図３乃至５に示すように、記録が始まる螺旋トラック１６の内径部分が参照符号２２で示され、書き込みが終わる外径部分が参照符号２４で示される。こうして、書き込みが実行されるにつれて、ピックアップアセンブリ１０８が、内径部分２２から外径部分２４に向かって螺旋トラック１６に沿って徐々に移動していく。
【００３３】
この記録プロセス中に、入力データは通常５．５Mb/sの速度で受信されるが、速度を変えて受信することもできる。代表的には、入力データは、ディスク１０２上に記録される間、単に記録バッファ１５２を通過して進むだけである。結果として、一時停止機能が起動されるときには、記録バッファ１５２は、空あるいはほとんど空である。さらに、この時点で何も読み出し動作が起こらないので、トラックバッファ１７２に進入したり残存するデータは無い。
【００３４】
図４を参照すると、一時停止を始める命令が受信された後の様子が示されており、DVDデバイスがデータ書き込みを一時的に停止可能である。一例として、DVDデバイスが螺旋トラック１６の外径部分２４で書き込みを一時的に停止することができる。従って、記録バッファ１５２が入力データを一時的に記憶することができる。その後、DVDデバイスがピックアップアセンブリ１０８をディスク１０２の入力データの記録を始めた場所に位置づけることができる。本実施形態では、そのディスクの場所は螺旋トラック１６の内径２２である。この時点において、DVDデバイスは、以前に記録したデータの読み出しを開始し、そのデータをトラックバッファ１７２へと送信することができる。データは代表的にはトラックバッファ１７２を５．５Mb/sの速度で離れるが、DVDデバイスはより高速でディスク１０２からデータを読み出すことが可能である。従って、トラックバッファ１７２は、ディスク１０２から読み出したデータを蓄積することができる。このデータは、ピックアップアセンブリ１０８が一時的に読み出しを停止しデータ書き込みを始めた後も、引き続きデコードされ表示されることができる。
【００３５】
図５に示すように、記録バッファ１５２内のデータが所定のレベルに達したときに、DVDデバイスは読み出しプロセスを保留することができる。データの供給が一時的に止められると、トラックバッファ１７２はデータを空にする動作を始める。DVDデバイスは次に、ピックアップアセンブリ１０８を、入力データを最後に書き込んだディスク上のスポット、例えば螺旋トラック１６の外径部分２４に移動することができる。DVDデバイスは、記録バッファ１５２内に蓄積されたデータをディスク１０２上に記録することができる。書き込みは、トラックバッファ１７２内のデータの蓄積が所定のレベルに落ちるまで続けることができる。所定のレベルに落ちると、DVDデバイスは再び、書き込みを一時的に停止し、ピックアップアセンブリ１０８をディスク１０２の最後に読んだスポットに移動できる。その後、DVDデバイスは、データの読み出しの手順をとる。読み出しと書き込みとの間でのジャンピングのプロセスは、ユーザが一時停止再開動作モードを終了するまで、あるいは、ディスクがスペースを使い果たすまで続けることができる。
【００３６】
ピックアップアセンブリ１０８を絶え間なく位置づけたり、再位置づけしたりすることにより、読み出しおよび書き込み段階に関連した合計の平均ビット速度が減少する。これは、ピックアップアセンブリ１０８の移動中には、DVDデバイスは読み出しも書き込みも出来ないことによる。本明細書において合計した平均ビット速度とは、読み出しプロセスのビット速度と書き込みプロセスのビット速度との平均値を意味する。もし合計の平均ビット速度が十分高くないならば、DVDデバイスは、継ぎ目の無い再生および／または記録を達成することができない。結果として、ジャンピングプロセスに伴う非効率性を克服するために、DVDデバイスは高速の読み書きを要する。残念ながら、ディスク１０２上のデータ書き込みが本来熱的（Thermal）であるので、書き込み速度は限界があり、容易には増大できない。
【００３７】
読み出し速度を上げることは、潜在的な解決法である。高速読み出しを達成するために、DVDデバイスは、一時停止機能が読み出しモードにあるときに、ディスク１０２の回転速度を増加することができる。読み出し速度を増加することにより、平均ビット速度を増加できる。しかしながら、この手順のみでは継ぎ目無い再生を生み出す目的のためには不十分である。何故ならば、読み出し速度は、平均ビット速度に悪影響を与える２番目の要素だからである。
【００３８】
ディスクの任意の角速度について、そのディスクの外径の線速度は内径の線速度よりも高速である。ピックアップアセンブリ１０８が書き込み段階でディスク１０２の外方へ移動するにつれて、ディスク１０２の角速度は遅くなっていく。何故ならば、書き込み速度は一定速度に固定しているからである。
【００３９】
DVDデバイスが書き込みから読み出しへと遷移するときに、ピックアップアセンブリ１０８は、以前に記録したデータを読み出すために、内径へとジャンプして戻る。しかしながら、特定の内径における特定のディスク回転速度による線速度は、データが最後に書き込まれた外径における線速度に比較して、低速である。結果として、ディスク１０２の回転速度は著しく増大しなければならず、DVDデバイスを、以前の書き込み速度よりも高速でデータを読み取ることを可能にする。反対に、データを書き込むために外径にジャンプするときには、データ書き込み固定速度のため、回転速度を遅くする必要がある。スピンドルモータのトルクに限界があるので、これらの角速度変化はある程度の時間を必要とし、よって合計平均ビット速度を低下させる。さらに、従来技術における周知の制限として、DVDデバイスは一般に、一定ビット速度でデータを書き込む必要がある。故に、DVDデバイスは、ディスク１０２がジャンプの準備のために速度を変化させているときには、記録ができない。このような制限はさらに、全読み書きサイクルの平均ビット速度を低下させる。
【００４０】
本発明に従ったDVDデバイスは、可変速度でデータを読み出す能力を利用することによって、ビット速度の問題点を解決する。そのような手順により、全体的な実効読み出しデューティサイクルを最良にできる。図６および図６Aを参照すると、フローチャート６００が、好適な動作方法を示している。このプロセスは、例えば高度特徴バッファ１３６を介して、一時停止コマンド（命令）を受信したときに、ステップ６０２で開始する。ステップ６０４において、DVDデバイスは、図３に示すように、ディスク１０２上の選択した位置においてデータの記録を開始することができる。この選択した位置はユーザにより選ぶことができ、あるいはDVDデバイスが単純に利用可能な未使用スペースの位置で記録を開始することもできる。DVDデバイスは、ディスク１０２の内径において記録を開始し、ディスク１０２の外径に向かって螺旋トラック１６に沿って記録を続行する。さらに、DVDデバイスが一時停止再開コマンドを受信（ステップ６０６）するまで、記録を続けることができる。
【００４１】
もし、ステップ６０６において一時停止再開コマンドが受信されたら、DVDデバイスは記録を停止し、入力データを記録バッファ１５２内に蓄積する（ステップ６０８）。この入力データは、次の書き込みステップで記録する。ピックアップアセンブリ１０８が、早期の内容が記録されたディスク１０２上の位置へジャンプして戻る（ステップ６１０）。ステップ６１２において、DVDデバイスは好適にはディスク１０２の回転を速め、以前の書き込みの速度よりも高速でデータの読み出しを行う。本発明に従えば、記録位置から読み出し位置へのピックアップアセンブリ１０８の移動に伴ういかなる読み出し遅延をも最小にするために、ディスク１０２の加速中にDVDデバイスがデータ読み出しを開始する。
【００４２】
ディスク１０２の角速度が変化している際にディスク１０２からデータを読み出すために、DVDデバイスは好適には、広範囲のロック能力を備えた位相ロックループ（PLL）を含む。このPLL回路は、ディスク１０２から読み出すデータにロックするためのクロック信号を発生し、ディスク１０２の回転速度が変化するときにこのロックを維持することができる。このような回路は従来技術において周知であり、本発明の概念の理解にとっては重要ではない。
【００４３】
ステップ６１４においてデータを読み出す間、DVDデバイスは、トラックバッファ１７２内へのデータを蓄積を開始できる。ステップ６１６において、DVDデバイスは加速した速度でデータを読み出すことができ、データ読み出しは記録バッファ内のデータが所定レベルに達するまで続けられる。この所定レベルは、記録バッファが最大値になるかそれに近づくレベルである。ステップ６１８において、DVDデバイスは、ディスク１０２の回転速度を減少させることができる。ディスク加速プロセスと同様に、DVDデバイスは、ディスク１０２の角速度が低下する際にも、可変ビット速度でデータを読み続けることができる。
【００４４】
ステップ６２０において、DVDデバイスは、可変速度でデータを読み出す。このデータ読み出しは、ディスク１０２の回転速度が、適正な速度で書き込みができるのに十分遅い速度になるかそれにほとんど近づくまで続けられる。ステップ６２２において、DVDデバイスは読み出しを停止し、DVDデバイスが読み出しプロセスを一時的に保留している間にもトラックバッファ１７２内に蓄積されたデータのデコードが続けられ、表示される。ステップ６２４において、書き込みを再び始めるために、ピックアップアセンブリ１０８が最後に記録をした外径にジャンプする。DVDデバイスは外径でデータの記録をし、このデータ記録は、トラックバッファ１７２内のデータがほとんど空を示すあるレベルに落ちるまで続けられる。ステップ６２８に従って、一時停止−再開モードをステップ６０８で続行することができる。このプロセスは、一時停止−再開モードを終了すべき（ステップ６３０）であるとユーザが指示するまで続けられる。変形的には、ディスク容量が一杯になったときにも、一時停止−再開モードがステップ６３０において終了できる。いずれの場合にも、ステップ６３０で示すように、DVDデバイスはディスク１０２上の残るデータを読み続けることができる。
【００４５】
本発明の実施形態による重要な効果は、ディスク１０２の回転速度を増加したり減少するのに要する時間を浪費しないことである。むしろ、この時間を利用して、可変速度でデータを読み出す。このような設計が、合計の平均ビット速度を最大にし、ピックアップアセンブリの大きなジャンプを可能にしている。さらに、本発明は、DVDデバイスに要求されるディスク回転速度の加速および減速を最小にする。DVDデバイスが可変速度でデータを読み出すことができるので、ディスク１０２の角速度を変化させる時間をより長く使うことができる。ディスクが速度変化する率を低下させることで、スピンドルモータへのストレスを低下させ、信頼性を向上させ、消費電力を低くし、かつ雑音発生を抑えることができる。
【図面の簡単な説明】
【図１】  本発明の実施形態に従い１または複数の進んだ動作特徴を備えた再記録可能なDVDデバイスのブロック図である。
【図２】  再記録可能なDVDディスク上の螺旋状のトラックを描いた図である。
【図３】  DVDディスク上にデータを書き込むプロセスを描いた図である。
【図４】  DVDディスクからデータを読み出し、入力データをデータバッファに記録するプロセスを描いた図である。
【図５】  DVDディスクへデータを書き込み、データバッファからの以前読み出したデータを継続的に表示するプロセスを描いた図である。
【図６】  平均ビット速度を最大にするよう可変読み出し速度を利用した一時停止機能を備えたDVDデバイスの好適な動作を示したフローチャートである。
【図６Ａ】  図６のフローチャートの続きのフローチャートである。
【図１】
0004711584.tif 000002
【図２】
0004711584.tif 000003
【図３】
0004711584.tif 000004
【図４】
0004711584.tif 000005
【図５】
0004711584.tif 000006
【図６】
0004711584.tif 000007
【図６Ａ】
0004711584.tif 000008